【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
基地局によって実行されるワイヤレス通信のための方法であって、
ユーザ機器（ＵＥ）から、低減されたページングサイクルをサポートする前記ＵＥの能力を受信することと、
前記ＵＥとの低レイテンシベアラの確立、または前記ＵＥとの確立された低レイテンシベアラ上の予想されるアクティビティのうちの少なくとも１つに少なくとも部分的に基づいて、低減されたページングサイクルをサポートする第１のタイプの前記ＵＥをページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを備える、方法。
【請求項２】
前記第１のタイプのＵＥとともに使用される前記低減されたページングサイクルよりも長い期間を有する別のページングサイクルに従って、前記第２のタイプのＵＥをページングすることをさらに備える、請求項１に記載の方法。
【請求項３】
前記低減されたページングサイクルを使用することを決定することが、モビリティ管理エンティティ（ＭＭＥ）によって実行される、請求項１に記載の方法。
【請求項４】
前記ＵＥから受信されたＵＥ能力情報に基づいて、前記第１のタイプの前記ＵＥが前記低減されたページングサイクルをサポートすることが可能であると決定することをさらに備える、または、
前記低減されたページングサイクルを使用するために、前記第１のタイプの前記ＵＥから要求を受信することをさらに備え、ここにおいて、前記低減されたページングサイクルを使用することを決定することが、前記要求に少なくとも部分的に基づく、または、
前記第１のタイプの前記ＵＥの識別情報を決定することをさらに備え、ここにおいて、前記低減されたページングサイクルを使用することを決定することが、前記ＵＥから受信された前記識別情報に少なくとも部分的に基づく、請求項１に記載の方法。
【請求項５】
前記低減されたページングサイクルを使用することを決定することは、１つまたは複数のアクセスポイント名（ＡＰＮ）がアクティブであることに少なくとも部分的に基づく、請求項１に記載の方法。
【請求項６】
前記低減されたページングサイクルを使用することを決定することが、前記第１のタイプの前記ＵＥのアクティビティまたはトラフィックのうちの少なくとも１つの履歴に少なくとも部分的に基づく、請求項１に記載の方法。
【請求項７】
前記第１のタイプの前記ＵＥをページングするとき、前記第１のタイプの前記ＵＥがランダムアクセスチャネル（ＲＡＣＨ）プロシージャを実行するときに使用するためのＲＡＣＨリソース識別子を与えることをさらに備える、または、
前記第１のタイプの前記ＵＥをページングするとき、前記第１のタイプの前記ＵＥがアップリンク送信のために使用するための１つまたは複数のパラメータを与えることをさらに備える、請求項１に記載の方法。
【請求項８】
ユーザ機器（ＵＥ）によって実行されるワイヤレス通信の方法であって、
基地局に、低減されたページングサイクルの使用をサポートする前記ＵＥの能力をシグナリングすることと、前記低減されたページングサイクルが、前記低減されたページングサイクルをサポートしないタイプのＵＥによって使用されるページングサイクルに対してより短い期間を有する、
基地局との低レイテンシベアラを確立することと、
前記低減されたページングサイクルに従って、基地局からページを受信することとを備える、方法。
【請求項９】
前記低減されたページングサイクルの使用をサポートする前記ＵＥの前記能力をシグナリングすることが、少なくとも部分的に、前記基地局に、前記低減されたページングサイクルのサポートを示すＵＥ能力情報を送信することをさらに備える、請求項８に記載の方法。
【請求項１０】
前記低減されたページングサイクルの使用をサポートする前記ＵＥの前記能力をシグナリングすることが、少なくとも部分的に、前記基地局に、前記低減されたページングサイクルを使用するための要求を送信することをさらに備える、請求項８に記載の方法。
【請求項１１】
前記低減されたページングサイクルの使用をサポートする前記ＵＥの前記能力をシグナリングすることが、少なくとも部分的に、前記基地局に、前記ＵＥの識別子を送信することをさらに備える、請求項８に記載の方法。
【請求項１２】
前記低減されたページングサイクルの使用をサポートする前記ＵＥの前記能力をシグナリングすることが、前記基地局に、前記低減されたページングサイクルに関連する１つまたは複数のアクセスポイント名（ＡＰＮ）に属する１つまたは複数のベアラ上で送信することをさらに備える、請求項８に記載の方法。
【請求項１３】
前記ＵＥがランダムアクセスチャネル（ＲＡＣＨ）プロシージャを実行するときに使用するためのＲＡＣＨリソース識別子を含むページを前記基地局から受信することをさらに備える、または、前記ＵＥがアップリンク送信のために使用するための１つまたは複数のパラメータを含むページを前記基地局から受信することをさらに備える、請求項８に記載の方法。
【請求項１４】
請求項１−７のうちのいずれか一項のステップを実行するように構成された手段を備えるか、または請求項８−１３のうちのいずれか一項のステップを実行するように構成された手段を備える、ワイヤレス通信のための装置。
【請求項１５】
請求項１−７のうちのいずれか一項のステップを実行するように構成された、その上に記憶された命令を有するか、または請求項８−１３のうちのいずれか一項のステップを実行するように構成された、その上に記憶された命令を有するワイヤレス通信のための非一時的コンピュータ可読媒体。
【手続補正２】
【補正対象書類名】明細書
【補正対象項目名】００８０
【補正方法】変更
【補正の内容】
【００８０】
[0090]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。本開示についての以上の説明は、いかなる当業者も本開示を作成または使用することができるように与えたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、
低減されたページングサイクルをサポートする第１のタイプのユーザ機器（ＵＥ）をページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを備える、方法。
［Ｃ２］
前記第１のタイプのＵＥとともに使用される前記低減されたページングサイクルよりも長い期間を有する別のページングサイクルに従って、前記第２のタイプのＵＥをページングすることをさらに備える、Ｃ１に記載の方法。
［Ｃ３］
前記低減されたページングサイクルを使用することを決定することが、モビリティ管理エンティティ（ＭＭＥ）によって実行される、Ｃ１に記載の方法。
［Ｃ４］
ＵＥ能力情報に基づいて、前記第１のタイプの前記ＵＥが前記低減されたページングサイクルをサポートすることが可能であると決定することをさらに備える、Ｃ１に記載の方法。
［Ｃ５］
前記低減されたページングサイクルを使用するために、前記第１のタイプの前記ＵＥから要求を受信することをさらに備え、ここにおいて、前記低減されたページングサイクルを使用することを決定することが、前記要求に少なくとも部分的に基づく、Ｃ１に記載の方法。
［Ｃ６］
前記第１のタイプの前記ＵＥの識別情報を決定することをさらに備え、ここにおいて、前記低減されたページングサイクルを使用することを決定することが、前記識別情報に少なくとも部分的に基づく、Ｃ１に記載の方法。
［Ｃ７］
前記低減されたページングサイクルを使用することを決定することは、１つまたは複数のアクセスポイント名（ＡＰＮ）がアクティブであることに少なくとも部分的に基づく、Ｃ１に記載の方法。
［Ｃ８］
前記低減されたページングサイクルを使用することを決定することが、
低レイテンシベアラの確立、または
低レイテンシベアラ上の予想されるアクティビティのうちの少なくとも１つに少なくとも部分的に基づく、Ｃ１に記載の方法。
［Ｃ９］
前記低減されたページングサイクルを使用することを決定することが、前記第１のタイプの前記ＵＥのアクティビティまたはトラフィックのうちの少なくとも１つの履歴に少なくとも部分的に基づく、Ｃ１に記載の方法。
［Ｃ１０］
前記第１のタイプの前記ＵＥをページングするとき、前記第１のタイプの前記ＵＥがランダムアクセスチャネル（ＲＡＣＨ）プロシージャを実行するときに使用するためのＲＡＣＨリソース識別子を与えることをさらに備える、Ｃ１に記載の方法。
［Ｃ１１］
前記第１のタイプの前記ＵＥをページングするとき、前記第１のタイプの前記ＵＥがアップリンク送信のために使用するための１つまたは複数のパラメータを与えることをさらに備える、Ｃ１に記載の方法。
［Ｃ１２］
ユーザ機器（ＵＥ）によるワイヤレス通信の方法であって、
低減されたページングサイクルの使用をサポートする前記ＵＥの能力をシグナリングすることと、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信することとを備える、方法。
［Ｃ１３］
能力を前記シグナリングすることが、少なくとも部分的に、前記基地局に、前記低減されたページングサイクルのサポートを示すＵＥ能力情報を送信することをさらに備える、Ｃ１２に記載の方法。
［Ｃ１４］
能力を前記シグナリングすることが、少なくとも部分的に、前記基地局に、前記低減されたページングサイクルを使用するための要求を送信することをさらに備える、Ｃ１２に記載の方法。
［Ｃ１５］
能力を前記シグナリングすることが、少なくとも部分的に、前記基地局に、前記ＵＥの識別子を送信することをさらに備える、Ｃ１２に記載の方法。
［Ｃ１６］
前記基地局に、前記低減されたページングサイクルに関連する１つまたは複数のアクセスポイント名（ＡＰＮ）に属する１つまたは複数のベアラ上で送信することをさらに備える、Ｃ１２に記載の方法。
［Ｃ１７］
前記基地局との低レイテンシベアラを確立することをさらに備える、Ｃ１２に記載の方法。
［Ｃ１８］
前記ＵＥがランダムアクセスチャネル（ＲＡＣＨ）プロシージャを実行するときに使用するためのＲＡＣＨリソース識別子を含むページを前記基地局から受信することをさらに備える、Ｃ１２に記載の方法。
［Ｃ１９］
前記ＵＥがアップリンク送信のために使用するための１つまたは複数のパラメータを含むページを前記基地局から受信することをさらに備える、Ｃ１２に記載の方法。
［Ｃ２０］
ワイヤレス通信のための装置であって、少なくとも１つのプロセッサと、命令がその上に記憶された、前記少なくとも１つのプロセッサに結合されたメモリとを備え、ここにおいて、
前記少なくとも１つのプロセッサは、
低減されたページングサイクルをサポートする第１のタイプのユーザ機器（ＵＥ）をページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを行うように構成された、装置。
［Ｃ２１］
前記少なくとも１つのプロセッサが、前記第１のタイプのＵＥとともに使用される前記低減されたページングサイクルよりも長い期間を有する別のページングサイクルに従って、前記第２のタイプのＵＥをページングするようにさらに構成された、Ｃ２０に記載の装置。
［Ｃ２２］
前記低減されたページングサイクルを使用することを決定することが、モビリティ管理エンティティ（ＭＭＥ）によって実行される、Ｃ２０に記載の装置。
［Ｃ２３］
前記少なくとも１つのプロセッサは、ＵＥ能力情報に基づいて、前記第１のタイプの前記ＵＥが前記低減されたページングサイクルをサポートすることが可能であると決定するようにさらに構成された、Ｃ２０に記載の装置。
［Ｃ２４］
前記少なくとも１つのプロセッサが、前記低減されたページングサイクルを使用するために、前記第１のタイプの前記ＵＥから要求を受信するようにさらに構成され、ここにおいて、前記低減されたページングサイクルを使用することを決定することが、前記要求に少なくとも部分的に基づく、Ｃ２０に記載の装置。
［Ｃ２５］
前記少なくとも１つのプロセッサが、前記第１のタイプの前記ＵＥの識別情報を決定するようにさらに構成され、ここにおいて、前記低減されたページングサイクルを使用することを決定することが、前記識別情報に少なくとも部分的に基づく、Ｃ２０に記載の装置。
［Ｃ２６］
前記低減されたページングサイクルを使用することを決定することは、１つまたは複数のアクセスポイント名（ＡＰＮ）がアクティブであることに少なくとも部分的に基づく、Ｃ２０に記載の装置。
［Ｃ２７］
前記低減されたページングサイクルを使用することを決定することが、
低レイテンシベアラの確立、または
低レイテンシベアラ上の予想されるアクティビティのうちの少なくとも１つに少なくとも部分的に基づく、Ｃ２０に記載の装置。
［Ｃ２８］
前記低減されたページングサイクルを使用することを決定することが、前記第１のタイプの前記ＵＥのアクティビティまたはトラフィックのうちの少なくとも１つの履歴に少なくとも部分的に基づく、Ｃ２０に記載の装置。
［Ｃ２９］
前記少なくとも１つのプロセッサは、前記ＵＥをページングするとき、前記第１のタイプの前記ＵＥがランダムアクセスチャネル（ＲＡＣＨ）プロシージャを実行するときに使用するためのＲＡＣＨリソース識別子を与えるようにさらに構成された、Ｃ２０に記載の装置。
［Ｃ３０］
前記少なくとも１つのプロセッサは、前記ＵＥをページングするとき、前記第１のタイプの前記ＵＥがアップリンク送信のために使用するための１つまたは複数のパラメータを与えるようにさらに構成された、Ｃ２０に記載の装置。
［Ｃ３１］
ユーザ機器（ＵＥ）によるワイヤレス通信のための装置であって、少なくとも１つのプロセッサと、命令がその上に記憶された、前記少なくとも１つのプロセッサに結合されたメモリとを備え、ここにおいて、
前記少なくとも１つのプロセッサは、
低減されたページングサイクルの使用をサポートする前記ＵＥの能力をシグナリングすることと、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信することとを行うように構成された、装置。
［Ｃ３２］
能力を前記シグナリングすることが、少なくとも部分的に、前記基地局に、前記低減されたページングサイクルのサポートを示すＵＥ能力情報を送信することを備える、Ｃ３１に記載の装置。
［Ｃ３３］
能力を前記シグナリングすることが、少なくとも部分的に、前記基地局に、前記低減されたページングサイクルを使用するための要求を送信することを備える、Ｃ３１に記載の装置。
［Ｃ３４］
能力を前記シグナリングすることが、少なくとも部分的に、前記基地局に、前記ＵＥの識別子を送信することを備える、Ｃ３１に記載の装置。
［Ｃ３５］
前記少なくとも１つのプロセッサが、前記低減されたページングサイクルに関連する１つまたは複数のアクセスポイント名（ＡＰＮ）に属する１つまたは複数のベアラ上で送信するようにさらに構成された、Ｃ３１に記載の装置。
［Ｃ３６］
前記少なくとも１つのプロセッサが、前記基地局との低レイテンシベアラを確立するようにさらに構成された、Ｃ３１に記載の装置。
［Ｃ３７］
前記少なくとも１つのプロセッサは、前記ＵＥがランダムアクセスチャネル（ＲＡＣＨ）プロシージャを実行するときに使用するためのＲＡＣＨリソース識別子を含むページを前記基地局から受信するようにさらに構成された、Ｃ３１に記載の装置。
［Ｃ３８］
前記少なくとも１つのプロセッサは、前記ＵＥがアップリンク送信のために使用するための１つまたは複数のパラメータを含むページを前記基地局から受信するようにさらに構成された、Ｃ３１に記載の装置。
［Ｃ３９］
ワイヤレス通信のための装置であって、
低減されたページングサイクルをサポートする第１のタイプのユーザ機器（ＵＥ）をページングするために、前記低減されたページングサイクルを使用することを決定するための手段と、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングするための手段とを備える、装置。
［Ｃ４０］
前記第１のタイプのＵＥとともに使用される前記低減されたページングサイクルよりも長い期間を有する別のページングサイクルに従って、前記第２のタイプのＵＥをページングするための手段をさらに備える、Ｃ３９に記載の装置。
［Ｃ４１］
前記低減されたページングサイクルを使用することを決定することが、モビリティ管理エンティティ（ＭＭＥ）によって実行される、Ｃ３９に記載の装置。
［Ｃ４２］
ＵＥ能力情報に基づいて、前記第１のタイプの前記ＵＥが前記低減されたページングサイクルをサポートすることが可能であると決定するための手段をさらに備える、Ｃ３９に記載の装置。
［Ｃ４３］
前記低減されたページングサイクルを使用するために、前記第１のタイプの前記ＵＥから要求を受信するための手段をさらに備え、ここにおいて、前記低減されたページングサイクルを使用することを決定することが、前記要求に少なくとも部分的に基づく、Ｃ３９に記載の装置。
［Ｃ４４］
前記第１のタイプの前記ＵＥの識別情報を決定するための手段をさらに備え、ここにおいて、前記低減されたページングサイクルを使用することを決定することが、前記識別情報に少なくとも部分的に基づく、Ｃ３９に記載の装置。
［Ｃ４５］
前記低減されたページングサイクルを使用することを決定することは、１つまたは複数のアクセスポイント名（ＡＰＮ）がアクティブであることに少なくとも部分的に基づく、Ｃ３９に記載の装置。
［Ｃ４６］
前記低減されたページングサイクルを使用することを決定することが、
低レイテンシベアラの確立、または
低レイテンシベアラ上の予想されるアクティビティのうちの少なくとも１つに少なくとも部分的に基づく、Ｃ３９に記載の装置。
［Ｃ４７］
前記低減されたページングサイクルを使用することを決定することが、前記第１のタイプの前記ＵＥのアクティビティまたはトラフィックのうちの少なくとも１つの履歴に少なくとも部分的に基づく、Ｃ３９に記載の装置。
［Ｃ４８］
前記第１のタイプの前記ＵＥをページングするとき、前記第１のタイプの前記ＵＥがランダムアクセスチャネル（ＲＡＣＨ）プロシージャを実行するときに使用するためのＲＡＣＨリソース識別子を与えるための手段をさらに備える、Ｃ３９に記載の装置。
［Ｃ４９］
前記第１のタイプの前記ＵＥをページングするとき、前記第１のタイプの前記ＵＥがアップリンク送信のために使用するための１つまたは複数のパラメータを与えるための手段をさらに備える、Ｃ３９に記載の装置。
［Ｃ５０］
ユーザ機器（ＵＥ）によるワイヤレス通信のための装置であって、
低減されたページングサイクルの使用をサポートする前記ＵＥの能力をシグナリングするための手段と、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信するための手段とを備える、装置。
［Ｃ５１］
能力を前記シグナリングすることが、少なくとも部分的に、前記基地局に、前記低減されたページングサイクルのサポートを示すＵＥ能力情報を送信することをさらに備える、Ｃ５０に記載の装置。
［Ｃ５２］
能力を前記シグナリングすることが、少なくとも部分的に、前記基地局に、前記低減されたページングサイクルを使用するための要求を送信することをさらに備える、Ｃ５０に記載の装置。
［Ｃ５３］
能力を前記シグナリングすることが、少なくとも部分的に、前記基地局に、前記ＵＥの識別子を送信することをさらに備える、Ｃ５０に記載の装置。
［Ｃ５４］
前記基地局に、前記低減されたページングサイクルに関連する１つまたは複数のアクセスポイント名（ＡＰＮ）に属する１つまたは複数のベアラ上で送信するための手段をさらに備える、Ｃ５０に記載の装置。
［Ｃ５５］
前記基地局との低レイテンシベアラを確立するための手段をさらに備える、Ｃ５０に記載の装置。
［Ｃ５６］
前記ＵＥがランダムアクセスチャネル（ＲＡＣＨ）プロシージャを実行するときに使用するためのＲＡＣＨリソース識別子を含むページを前記基地局から受信するための手段をさらに備える、Ｃ５０に記載の装置。
［Ｃ５７］
前記ＵＥがアップリンク送信のために使用するための１つまたは複数のパラメータを含むページを前記基地局から受信するための手段をさらに備える、Ｃ５０に記載の装置。
［Ｃ５８］
その上に記憶された命令を有する、ワイヤレス通信のための非一時的コンピュータ可読媒体であって、前記命令は、
低減されたページングサイクルをサポートする第１のタイプのユーザ機器（ＵＥ）をページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを行うために１つまたは複数のプロセッサによって実行可能である、非一時的コンピュータ可読媒体。
［Ｃ５９］
その上に記憶された命令を有する、ユーザ機器（ＵＥ）によるワイヤレス通信のための非一時的コンピュータ可読媒体であって、前記命令は、
低減されたページングサイクルの使用をサポートする前記ＵＥの能力をシグナリングすることと、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信することとを行うために１つまたは複数のプロセッサによって実行可能である、非一時的コンピュータ可読媒体。
［Ｃ６０］
基地局によってシステム情報を伝達するための方法であって、
エリア中のセルのグループの各セルに共通の第１のシステム情報をブロードキャストすることと、
セルの前記グループ中のセル間で変動し得る第２のシステム情報をブロードキャストすることと、ここにおいて、前記第２のシステム情報が、前記第１のシステム情報よりも頻繁にブロードキャストされる、を備える、方法。
［Ｃ６１］
前記第１のシステム情報が、セルの前記グループ中の複数のセルによってブロードキャストされる、Ｃ６０に記載の方法。
［Ｃ６２］
前記第１のシステム情報が、物理マルチキャストチャネル（ＰＭＣＨ）を使用してブロードキャストされる、Ｃ６１に記載の方法。
［Ｃ６３］
前記第１のシステム情報が有効である時間期間の指示を与えることをさらに備える、Ｃ６０に記載の方法。
［Ｃ６４］
ページングメッセージを介して、前記第１のシステム情報または前記第２のシステム情報のうちの少なくとも１つが変化したという指示を１つまたは複数のユーザ機器（ＵＥ）に与えることをさらに備える、Ｃ６０に記載の方法。
［Ｃ６５］
前記ページングメッセージは、前記第１のシステム情報または前記第２のシステム情報のうちのいずれが変化したかを示す値を備える、Ｃ６４に記載の方法。
［Ｃ６６］
ユーザ機器（ＵＥ）から、少なくとも前記第１のシステム情報についての要求を受信することと、
前記要求に応答して、少なくとも前記第１のシステム情報を前記ＵＥに送信することとをさらに備える、Ｃ６０に記載の方法。
［Ｃ６７］
ユーザ機器（ＵＥ）によってシステム情報を取得するための方法であって、
エリア中のセルのグループの各セルに共通の第１のシステム情報のブロードキャストを受信することと、
セルの前記グループ中のセル間で変動し得る第２のシステム情報のブロードキャストを受信することと、ここにおいて、前記第２のシステム情報が、前記第１のシステム情報よりも頻繁にブロードキャストされる、を備える、方法。
［Ｃ６８］
前記第１のシステム情報が、セルの前記グループ中の複数のセルによってブロードキャストされる、Ｃ６７に記載の方法。
［Ｃ６９］
前記第１のシステム情報が、物理マルチキャストチャネル（ＰＭＣＨ）を使用して前記複数のセルによってブロードキャストされる、Ｃ６８に記載の方法。
［Ｃ７０］
前記第１のシステム情報に基づいて、前記第１のシステム情報が有効である時間期間を決定することをさらに備える、Ｃ６７に記載の方法。
［Ｃ７１］
前記第１のシステム情報または前記第２のシステム情報のうちの少なくとも１つが変化したことを示すページングメッセージを受信することをさらに備える、Ｃ６７に記載の方法。
［Ｃ７２］
前記ページングメッセージ中に含まれる値に基づいて、前記第１のシステム情報または前記第２のシステム情報のうちのいずれが変化したかを決定することをさらに備える、Ｃ７１に記載の方法。
［Ｃ７３］
基地局に、少なくとも前記第１のシステム情報についての要求を送信することと、
前記基地局から、少なくとも前記第１のシステム情報を含む前記要求に対する応答を受信することとをさらに備える、Ｃ６７に記載の方法。
［Ｃ７４］
第１のセルの基地局から受信された少なくとも前記第１のシステム情報をキャッシュすることと、
前記キャッシュされた第１のシステム情報と、第２のセル中で動作を実行するための前記第２のセルの基地局から受信された第２のシステム情報とを利用することとをさらに備える、Ｃ６７に記載の方法。
［Ｃ７５］
基地局によってシステム情報を伝達するための装置であって、少なくとも１つのプロセッサと、命令がその上に記憶された、前記少なくとも１つのプロセッサに結合されたメモリとを備え、ここにおいて、
前記少なくとも１つのプロセッサは、
エリア中のセルのグループの各セルに共通の第１のシステム情報をブロードキャストすることと、
セルの前記グループ中のセル間で変動し得る第２のシステム情報をブロードキャストすることと、ここにおいて、前記第２のシステム情報が、前記第１のシステム情報よりも頻繁にブロードキャストされる、を行うように構成された、装置。
［Ｃ７６］
前記第１のシステム情報が、セルの前記グループ中の複数のセルによってブロードキャストされる、Ｃ７５に記載の装置。
［Ｃ７７］
前記第１のシステム情報が、物理マルチキャストチャネル（ＰＭＣＨ）を使用してブロードキャストされる、Ｃ７６に記載の装置。
［Ｃ７８］
前記少なくとも１つのプロセッサは、前記第１のシステム情報が有効である時間期間の指示を与えるようにさらに構成された、Ｃ７５に記載の装置。
［Ｃ７９］
前記少なくとも１つのプロセッサは、ページングメッセージを介して、前記第１のシステム情報または前記第２のシステム情報のうちの少なくとも１つが変化したという指示を１つまたは複数のユーザ機器（ＵＥ）に与えるようにさらに構成された、Ｃ７５に記載の装置。
［Ｃ８０］
前記ページングメッセージは、前記第１のシステム情報または前記第２のシステム情報のうちのいずれが変化したかを示す値を備える、Ｃ７９に記載の装置。
［Ｃ８１］
前記少なくとも１つのプロセッサが、
ユーザ機器（ＵＥ）から、少なくとも前記第１のシステム情報についての要求を受信することと、
前記要求に応答して、少なくとも前記第１のシステム情報を前記ＵＥに送信することとを行うようにさらに構成された、Ｃ７５に記載の装置。
［Ｃ８２］
ユーザ機器（ＵＥ）によってシステム情報を取得するための装置であって、少なくとも１つのプロセッサと、命令がその上に記憶された、前記少なくとも１つのプロセッサに結合されたメモリとを備え、ここにおいて、
前記少なくとも１つのプロセッサは、
エリア中のセルのグループの各セルに共通の第１のシステム情報のブロードキャストを受信することと、
セルの前記グループ中のセル間で変動し得る第２のシステム情報のブロードキャストを受信することと、ここにおいて、前記第２のシステム情報が、前記第１のシステム情報よりも頻繁にブロードキャストされる、を行うように構成された、装置。
［Ｃ８３］
前記第１のシステム情報が、セルの前記グループ中の複数のセルによってブロードキャストされる、Ｃ８２に記載の装置。
［Ｃ８４］
前記第１のシステム情報が、物理マルチキャストチャネル（ＰＭＣＨ）を使用して前記複数のセルによってブロードキャストされる、Ｃ８３に記載の装置。
［Ｃ８５］
前記少なくとも１つのプロセッサは、前記第１のシステム情報に基づいて、前記第１のシステム情報が有効である時間期間を決定するようにさらに構成された、Ｃ８２に記載の装置。
［Ｃ８６］
前記少なくとも１つのプロセッサは、前記第１のシステム情報または前記第２のシステム情報のうちの少なくとも１つが変化したことを示すページングメッセージを受信するようにさらに構成された、Ｃ８２に記載の装置。
［Ｃ８７］
前記少なくとも１つのプロセッサは、前記ページングメッセージ中に含まれる値に基づいて、前記第１のシステム情報または前記第２のシステム情報のうちのいずれが変化したかを決定するようにさらに構成された、Ｃ８６に記載の装置。
［Ｃ８８］
前記少なくとも１つのプロセッサが、
基地局に、少なくとも前記第１のシステム情報についての要求を送信することと、
前記基地局から、少なくとも前記第１のシステム情報を含む前記要求に対する応答を受信することとを行うようにさらに構成された、Ｃ８２に記載の装置。
［Ｃ８９］
前記少なくとも１つのプロセッサが、
第１のセルの基地局から受信された少なくとも前記第１のシステム情報をキャッシュすることと、
前記キャッシュされた第１のシステム情報と、第２のセル中で動作を実行するための前記第２のセルの基地局から受信された第２のシステム情報とを利用することとを行うようにさらに構成された、Ｃ８２に記載の装置。
［Ｃ９０］
基地局によってシステム情報を伝達するための装置であって、
エリア中のセルのグループの各セルに共通の第１のシステム情報をブロードキャストするための手段と、
セルの前記グループ中のセル間で変動し得る第２のシステム情報をブロードキャストするための手段と、ここにおいて、前記第２のシステム情報が、前記第１のシステム情報よりも頻繁にブロードキャストされる、を備える、装置。
［Ｃ９１］
前記第１のシステム情報が、セルの前記グループ中の複数のセルによってブロードキャストされる、Ｃ９０に記載の装置。
［Ｃ９２］
前記第１のシステム情報が、物理マルチキャストチャネル（ＰＭＣＨ）を使用してブロードキャストされる、Ｃ９１に記載の装置。
［Ｃ９３］
前記第１のシステム情報が有効である時間期間の指示を与えるための手段をさらに備える、Ｃ９０に記載の装置。
［Ｃ９４］
ページングメッセージを介して、前記第１のシステム情報または前記第２のシステム情報のうちの少なくとも１つが変化したという指示を１つまたは複数のユーザ機器（ＵＥ）に与えるための手段をさらに備える、Ｃ９０に記載の装置。
［Ｃ９５］
前記ページングメッセージは、前記第１のシステム情報または前記第２のシステム情報のうちのいずれが変化したかを示す値を備える、Ｃ９４に記載の装置。
［Ｃ９６］
ユーザ機器（ＵＥ）から、少なくとも前記第１のシステム情報についての要求を受信するための手段と、
前記要求に応答して、少なくとも前記第１のシステム情報を前記ＵＥに送信するための手段とをさらに備える、Ｃ９０に記載の装置。
［Ｃ９７］
ユーザ機器（ＵＥ）によってシステム情報を取得するための装置であって、
エリア中のセルのグループの各セルに共通の第１のシステム情報のブロードキャストを受信するための手段と、
セルの前記グループ中のセル間で変動し得る第２のシステム情報のブロードキャストを受信するための手段と、ここにおいて、前記第２のシステム情報が、前記第１のシステム情報よりも頻繁にブロードキャストされる、を備える、装置。
［Ｃ９８］
前記第１のシステム情報が、セルの前記グループ中の複数のセルによってブロードキャストされる、Ｃ９７に記載の装置。
［Ｃ９９］
前記第１のシステム情報が、物理マルチキャストチャネル（ＰＭＣＨ）を使用して前記複数のセルによってブロードキャストされる、Ｃ９８に記載の装置。
［Ｃ１００］
前記第１のシステム情報に基づいて、前記第１のシステム情報が有効である時間期間を決定するための手段をさらに備える、Ｃ９７に記載の装置。
［Ｃ１０１］
前記第１のシステム情報または前記第２のシステム情報のうちの少なくとも１つが変化したことを示すページングメッセージを受信するための手段をさらに備える、Ｃ９７に記載の装置。
［Ｃ１０２］
前記ページングメッセージ中に含まれる値に基づいて、前記第１のシステム情報または前記第２のシステム情報のうちのいずれが変化したかを決定するための手段をさらに備える、Ｃ１０１に記載の装置。
［Ｃ１０３］
基地局に、少なくとも前記第１のシステム情報についての要求を送信するための手段と、
前記基地局から、少なくとも前記第１のシステム情報を含む前記要求に対する応答を受信するための手段とをさらに備える、Ｃ９７に記載の装置。
［Ｃ１０４］
第１のセルの基地局から受信された少なくとも前記第１のシステム情報をキャッシュするための手段と、
前記キャッシュされた第１のシステム情報と、第２のセル中で動作を実行するための前記第２のセルの基地局から受信された第２のシステム情報とを利用するための手段とをさらに備える、Ｃ９７に記載の装置。
［Ｃ１０５］
その上に記憶された命令を有する、基地局によってシステム情報を伝達するための非一時的コンピュータ可読媒体であって、前記命令は、
エリア中のセルのグループの各セルに共通の第１のシステム情報をブロードキャストすることと、
セルの前記グループ中のセル間で変動し得る第２のシステム情報をブロードキャストすることと、ここにおいて、前記第２のシステム情報が、前記第１のシステム情報よりも頻繁にブロードキャストされる、を行うために１つまたは複数のプロセッサによって実行可能である、非一時的コンピュータ可読媒体。
［Ｃ１０６］
その上に記憶された命令を有する、ユーザ機器（ＵＥ）によってシステム情報を取得するための非一時的コンピュータ可読媒体であって、前記命令は、
エリア中のセルのグループの各セルに共通の第１のシステム情報のブロードキャストを受信することと、
セルの前記グループ中のセル間で変動し得る第２のシステム情報のブロードキャストを受信することと、ここにおいて、前記第２のシステム情報が、前記第１のシステム情報よりも頻繁にブロードキャストされる、を行うために１つまたは複数のプロセッサによって実行可能である、非一時的コンピュータ可読媒体。